(57)【要約】【課題】強度的に優れた鉛筆連結構造体を提供する。【解決手段】第１鉛筆と第２鉛筆とを、各基端部３相互を連結した鉛筆構造体であって、各基端部３の端面４から、鉛筆芯材５の外径寸法ｄよりも大きな内径寸法Ｄの有底ネジ孔６が、所定深さ寸法Ｈで凹設される。木質系連結ネジ体７を、ネジ孔６に螺着して、第１鉛筆１と第２鉛筆２とを継ぎ足し状に連結する。【選択図】図２
2018187849.tif 000002
【特許請求の範囲】
【請求項１】
第１鉛筆(１)と第２鉛筆（２）とを、各基端部（３）相互を連結した鉛筆構造体であって、
上記各基端部（３）の端面（４）から、鉛筆芯材（５）の外径寸法（ｄ）よりも大きな内径寸法（Ｄ）の有底ネジ孔（６）が、所定深さ寸法（Ｈ）で凹設され、
木質系連結ネジ体（７）を、上記ネジ孔（６）に螺着して、上記第１鉛筆（１）と第２鉛筆（２）とを継ぎ足し状に連結したことを特徴とする鉛筆連結構造体。
【請求項２】
軸心方向の孔部（13）が貫設された短筒状治具本体（10）と、
該治具本体（10）の長手方向中間部に設けられ、軸心方向の上記孔部（13）を分断して第１孔部（11）と第２孔部（12）に区分する中間栓部（14）と、
上記第１孔部（11）において軸心（Ｌ）に沿って配設されると共に上記中間栓部（14）に立設された下孔形成用ドリル（16）と、
上記第２孔部（12）において軸心（Ｌ）に沿って配設されると共に上記中間栓部（14）に立設されたタッピングのためのネジ杆（17）と、を具備し、
さらに、上記第１孔部（11）の内径寸法（ｄ1 ）は、鉛筆（Ｐ）の基端部（３）が圧入されるように鉛筆（Ｐ）の外径寸法（Ｄ1 ）又は外接円外径寸法（Ｄ2 ）と同一、又は、僅かに小さく設定され、
かつ、上記第２孔部（12）に挿入される際に鉛筆（Ｐ）の基端部（３）が圧入されて鉛筆の基端部（３）と共に第２孔部（12）に挿入されるガイド短管（18）を、備え、
該ガイド短管（18）の内径寸法（ｄ2 ）は、鉛筆（Ｐ）の外径寸法（Ｄ1 ）又は外接円外径寸法（Ｄ2 ）よりも僅かに小さく設定されていることを特徴とする鉛筆継ぎ足し作業治具。
【発明の詳細な説明】
【技術分野】
【０００１】
本発明は、鉛筆連結構造体及び鉛筆継ぎ足し作業治具に関する。
【背景技術】
【０００２】
鉛筆を使用するうちに、鉛筆が短くなって、１本では書きづらくなるが、短くなった鉛筆を他の鉛筆と連結すれば、さらに使用することができる。従来、このような鉛筆連結構造体としては、鉛筆の基端部に、雄ネジ部を形成して、雌ネジ部を有するアダプターにて、鉛筆相互を連結したものがある（例えば、特許文献１参照）。
【先行技術文献】
【特許文献】
【０００３】
【特許文献１】特開２０１０−１７９５４０号公報
【発明の概要】
【発明が解決しようとする課題】
【０００４】
特許文献１記載の鉛筆連結構造体は、雄ネジ部の強度が弱く、折損する虞れがあるという欠点がある。そこで、本発明は、強度的に優れた鉛筆連結構造体を提供することを目的とする。
また、上記鉛筆連結構造体を容易に製作することができる鉛筆継ぎ足し作業治具を提供することを目的とする。
【課題を解決するための手段】
【０００５】
そこで、本発明に係る鉛筆連結構造体は、第１鉛筆と第２鉛筆とを、各基端部相互を連結した鉛筆構造体であって、上記各基端部の端面から、鉛筆芯材の外径寸法よりも大きな内径寸法の有底ネジ孔が、所定深さ寸法で凹設され、木質系連結ネジ体を、上記ネジ孔に螺着して、上記第１鉛筆と第２鉛筆とを継ぎ足し状に連結したものである。
【０００６】
また、本発明に係る鉛筆継ぎ足し作業治具は、軸心方向の孔部が貫設された短筒状治具本体と、該治具本体の長手方向中間部に設けられ、軸心方向の上記孔部を分断して第１孔部と第２孔部に区分する中間栓部と、上記第１孔部において軸心に沿って配設されると共に上記中間栓部に立設された下孔形成用ドリルと、上記第２孔部において軸心に沿って配設されると共に上記中間栓部に立設されたタッピングのためのネジ杆と、を具備し、さらに、上記第１孔部の内径寸法は、鉛筆の基端部が圧入されるように鉛筆の外径寸法又は外接円外径寸法と同一、又は、僅かに小さく設定され、かつ、上記第２孔部に挿入される際に鉛筆の基端部が圧入されて鉛筆の基端部と共に第２孔部に挿入されるガイド短管を、備え、該ガイド短管の内径寸法は、鉛筆の外径寸法又は外接円外径寸法よりも僅かに小さく設定されているものである。
【発明の効果】
【０００７】
本発明の鉛筆連結構造体によれば、強度的に優れる。即ち、使用時に折損等を生じない。
また、本発明の鉛筆継ぎ足し作業治具によれば、上記鉛筆連結構造体を容易に製作することができる。
【図面の簡単な説明】
【０００８】
【図１】本発明の鉛筆連結構造体を示す正面図であって、（Ａ）は短い鉛筆を連結した正面図、（Ｂ）は色違いの鉛筆を連結した正面図、（Ｃ）は濃さの違う鉛筆を連結した正面図、（Ｄ）は消しゴム付きの鉛筆を連結した正面図である。
【図２】本発明の鉛筆連結構造体の実施の一形態を示す断面図である。
【図３】製作方法を示す断面図である。
【図４】本発明の鉛筆継ぎ足し作業治具の実施の一形態を示す断面図である。
【図５】鉛筆の横断面図であって、（Ａ）は円型鉛筆の横断面図、（Ｂ）は六角鉛筆の横断面図である。
【図６】下孔の形成方法を示す断面図である。
【図７】ネジ孔の形成方法を示す断面図である。
【図８】ネジ孔の形成方法を示す断面図である。
【発明を実施するための形態】
【０００９】
以下、図示の実施の形態に基づいて本発明を詳説する。
図１は、本発明の種々の実施例を示す。本発明の鉛筆連結構造体は、２本の鉛筆Ｐを連結したものである。具体的には、第１鉛筆１と第２鉛筆２とを、各基端部３相互を連結した鉛筆構造体であって、図１（Ａ）の鉛筆連結構造体は、短くなって１本では書きづらくなった第１鉛筆１を、第２鉛筆２と連結したものである。図１（Ｂ）の鉛筆連結構造体は、色違いの第１鉛筆１と第２鉛筆２を、連結したものである。図１（Ｃ）の鉛筆連結構造体は、濃さの違う第１鉛筆１と第２鉛筆２を、連結したものである。図１（Ｄ）の鉛筆連結構造体は、消しゴム付きの第２鉛筆２を、第１鉛筆１と連結したものである。
【００１０】
図２・図３に示すように、各基端部３の端面４から、鉛筆芯材５の外径寸法ｄよりも大きな内径寸法Ｄの有底ネジ孔６が、所定深さ寸法Ｈで凹設される。木質系連結ネジ体７が、ネジ孔６に螺着され、第１鉛筆１と第２鉛筆２とが継ぎ足し状に連結される。連結ネジ体７は、硬い木や、オガクズの結合材等から成る。例えば、木の粉をローラにて圧縮成形して製作する。連結ネジ体７が木質系なので、鉛筆連結構造体の一部として、鉛筆Ｐとともに鉛筆削り機で削ることができる。
【００１１】
図４は、本発明の鉛筆継ぎ足し作業治具を示す。この鉛筆継ぎ足し作業治具は、軸心方向の孔部13が貫設された金属製短筒状治具本体10と、治具本体10の長手方向中間部に設けられ、軸心方向の孔部13を分断して第１孔部11と第２孔部12に区分する金属製中間栓部14と、を具備する。第１孔部11は、鉛筆の芯振れを防ぐ鉛筆ガイド内周面15を有する。中間栓部14は、雄ネジ21を有し、雄ネジ21と、孔部13に形成された雌ネジ22とが、螺合して、
図示省略の小止めネジ又は止め用Ｃ型ピンを軸心直交方向から螺着又は圧入したり、あるいは、接着剤等にて固着し、中間栓部14は固定されている。
【００１２】
第１孔部11において軸心Ｌに沿って配設されると共に中間栓部14に立設された下孔形成用ドリル16と、第２孔部12において軸心Ｌに沿って配設されると共に中間栓部14に立設されたタッピングのためのネジ杆17と、を具備する。
【００１３】
第１孔部11の内径寸法ｄ1 は、鉛筆Ｐ（図１、図６参照）の基端部３が圧入されるように鉛筆Ｐの外径寸法Ｄ1 （断面円形鉛筆の場合。図５（Ａ）参照）又は外接円外径寸法Ｄ2 （断面六角形鉛筆の場合。図５（Ｂ）参照）と同一とし、又は、僅かに小さく設定される。
【００１４】
第２孔部12に挿入される際に鉛筆Ｐ（図１、図８参照）の基端部３が圧入されて鉛筆Ｐの基端部３と共に第２孔部12に挿入される薄肉のガイド短管（ソケット）18を、備える。ガイド短管18の内周面は、鉛筆Ｐの割れを防止する鉛筆圧入用ガイド内周面19とされる。ガイド短管18の内径寸法ｄ2 は、鉛筆の外径寸法Ｄ1 又は外接円外径寸法Ｄ2 （図５参照）よりも僅かに小さく設定されている。ガイド短管18と治具本体10の第２孔部12とは、ガイド短管18を第２孔部12から引出し可能な程度に少々緩い嵌合とされている。
【００１５】
次に、鉛筆継ぎ足し作業治具にて、鉛筆Ｐにネジ孔６を形成する方法について、説明する。まず、図６に示すように、鉛筆Ｐの基端部３を第１孔部11に圧入しつつ、ドリル16にて、鉛筆Ｐの基端部３に下孔20（図７参照）を形成する。鉛筆Ｐが第１孔部11の鉛筆ガイド内周面15に圧入されるので、下孔形成の際、鉛筆ガイド内周面15にて鉛筆Ｐの芯振れが防止される。即ち、鉛筆ガイド内周面15は、鉛筆Ｐのガイド機能及び鉛筆Ｐの芯振れ機能を有する。
【００１６】
その後、図７・図８に示すように、鉛筆Ｐの基端部３をガイド短管18に圧入し、さらに、鉛筆Ｐの基端部３と共に第２孔部12に挿入しつつ、ネジ杆17を、下孔20に相対的に回転しながら挿入して、タッピングを行う。鉛筆Ｐの基端部３がガイド短管18に圧入されており、かつ、ガイド短管18と治具本体10の第２孔部12とは、少々緩く嵌合されるので、鉛筆Ｐとガイド短管18は、一体状に回転する。鉛筆Ｐの基端部３がガイド短管18に圧入されているので、タッピングの際、ガイド短管18が鉛筆Ｐを締付状に拘束（圧接）して、鉛筆Ｐを補強し、割れ（亀裂）が生じるのを防止する。タッピングにより、ネジ孔６が形成される。タッピング後、鉛筆Ｐとガイド短管18を一体状として、第２孔部12から引き出す。
【００１７】
なお、本発明は、設計変更可能であって、例えば、短筒状治具本体10としては、２部品を、治具本体10の長手方向中間位置にて継いだものとしても良い。また、中間栓部14を、雄ネジ21を有さない円柱状として、治具本体10に圧入又は接着にて固着するも良い。
【００１８】
以上のように、本発明は、第１鉛筆１と第２鉛筆２とを、各基端部３相互を連結した鉛筆構造体であって、上記各基端部３の端面４から、鉛筆芯材５の外径寸法ｄよりも大きな内径寸法Ｄの有底ネジ孔６が、所定深さ寸法Ｈで凹設され、木質系連結ネジ体７を、上記ネジ孔６に螺着して、上記第１鉛筆１と第２鉛筆２とを継ぎ足し状に連結したので、強度的に優れる。即ち、使用時に折損等を生じない。また、短い鉛筆Ｐ、色違いの鉛筆Ｐ、濃さの違う鉛筆Ｐ、消しゴム付きの鉛筆Ｐ等、種々の鉛筆Ｐを組み合わせて用いることができる。また、一方の鉛筆Ｐが短くなれば、他の鉛筆Ｐを再び継ぎ換えることができる。また、鉛筆削りをもって、継ぎ目を超えて削ることができる。
【００１９】
また、軸心方向の孔部13が貫設された短筒状治具本体10と、該治具本体10の長手方向中間部に設けられ、軸心方向の上記孔部13を分断して第１孔部11と第２孔部12に区分する中間栓部14と、上記第１孔部11において軸心Ｌに沿って配設されると共に上記中間栓部14に立設された下孔形成用ドリル16と、上記第２孔部12において軸心Ｌに沿って配設されると共に上記中間栓部14に立設されたタッピングのためのネジ杆17と、を具備し、さらに、上記第１孔部11の内径寸法ｄ1 は、鉛筆Ｐの基端部３が圧入されるように鉛筆Ｐの外径寸法Ｄ1 又は外接円外径寸法Ｄ2 と同一、又は、僅かに小さく設定され、かつ、上記第２孔部12に挿入される際に鉛筆Ｐの基端部３が圧入されて鉛筆の基端部３と共に第２孔部12に挿入されるガイド短管18を、備え、該ガイド短管18の内径寸法ｄ2 は、鉛筆Ｐの外径寸法Ｄ1 又は外接円外径寸法Ｄ2 よりも僅かに小さく設定されているので、鉛筆連結構造体を容易に製作することができる。
【００２０】
特に、ドリル16による下孔形成の際、鉛筆Ｐが芯振れすることを防止できる。また、タッピング加工の際、鉛筆Ｐが亀裂を生じたり割れたりすることを防止できる。そして、ネジ孔６の内径寸法Ｄ即ち連結ネジ体７の外径寸法を大きく形成して、鉛筆連結構造体の連結強度及び曲げ強度を大きくすることができる。
【符号の説明】
【００２１】
１  第１鉛筆
２  第２鉛筆
３  基端部
４  端面
５  鉛筆芯材
６  （有底）ネジ孔
７  （木質系）連結ネジ体
10  （短筒状）治具本体
11  第１孔部
12  第２孔部
13  孔部
14  中間栓部
16  （下孔形成用）ドリル
17  ネジ杆
18  ガイド短管（ソケット）
Ｄ  内径寸法
Ｄ1   外径寸法
Ｄ2   外接円外径寸法
ｄ  外径寸法
ｄ1   内径寸法
ｄ2   内径寸法
Ｈ  所定深さ寸法
Ｌ  軸心
Ｐ  鉛筆
【図１】
2018187849.tif 000003
【図２】
2018187849.tif 000004
【図３】
2018187849.tif 000005
【図４】
2018187849.tif 000006
【図５】
2018187849.tif 000007
【図６】
2018187849.tif 000008
【図７】
2018187849.tif 000009
【図８】
2018187849.tif 000010